(57)【要約】【課題】装置本体の剛性を確保しつつ、さらなる狭額縁化を図ることが可能な表示装置を提供する。【解決手段】この液晶テレビジョン装置１００（表示装置）は、液晶パネル２０と、液晶パネル２０の少なくとも短辺部２０ｂに対応する前面側（Ｚ１側）の縁部２０ａを押圧した状態で液晶パネル２０を保持する前側筐体１１と、前側筐体１１の内側に配置された金属製（板金製）のベゼル部材１４とを備える。【選択図】図４
2014154931.tif 000002
【特許請求の範囲】
【請求項１】
表示部と、
前記表示部の前面側の縁部の少なくとも一部を押圧した状態で前記表示部を保持する前側筐体と、
前記前側筐体の内側に配置された金属製の第１ベゼル部材とを備える、表示装置。
【請求項２】
前記前側筐体の内側において前記表示部の後面側を支持可能に構成された支持部材をさらに備え、
前記第１ベゼル部材が前記支持部材に取り付けられた状態で、前記前側筐体と前記支持部材とによって前記表示部が前後から挟み込まれて保持されるように構成されている、請求項１に記載の表示装置。
【請求項３】
前記前側筐体は、前記表示部の表示領域を塞ぐことなく枠状に形成された額縁部を含み、
前記第１ベゼル部材が前記支持部材に取り付けられた状態で、前記表示部の前面側の前記縁部の少なくとも一部が前記前側筐体の前記額縁部により押圧されるとともに前記額縁部による押圧位置に対応する前記表示部の後面側が前記支持部材により支持されることにより、前記前側筐体と前記支持部材とによって前記表示部が保持されるように構成されている、請求項２に記載の表示装置。
【請求項４】
前記表示部は、縦方向に延びる一対の短辺部と横方向に延びる一対の長辺部とによって矩形形状を有して形成されており、
前記第１ベゼル部材は、前記表示部の少なくとも前記短辺部に対応した位置の後面側を支持する前記支持部材の部分に取り付けられており、
前記表示部の少なくとも前記短辺部に対応する前記縁部が前記前側筐体の前記額縁部により押圧されるとともに前記額縁部による前記押圧位置に対応する前記表示部の後面側が前記支持部材により支持されることにより、前記前側筐体と前記支持部材とによって前記表示部が保持されるように構成されている、請求項３に記載の表示装置。
【請求項５】
前記前側筐体の内側に配置された金属製の第２ベゼル部材をさらに備え、
前記前側筐体により前記表示部の前面側の前記縁部の一部が押圧されるとともに、前記前側筐体により押圧された部分以外の前記表示部の前記縁部が前記第２ベゼル部材により押圧されることにより、前記前側筐体と前記第２ベゼル部材とによって前記表示部が保持されるように構成されている、請求項１〜４のいずれか１項に記載の表示装置。
【請求項６】
前記前側筐体の前記額縁部と前記表示部の前面側の前記縁部との間に配置された弾性部材をさらに備え、
前記第１ベゼル部材は、前記前側筐体の内側でかつ前記表示部の前面側の前記縁部よりも外側の前記支持部材と対向する領域において前記支持部材に取り付けられており、
前記前側筐体の前記額縁部により前記弾性部材が押圧されて前記弾性部材が前記表示部の前面側の前記縁部の少なくとも一部に接触することにより、前記表示部が保持されるように構成されている、請求項３または４に記載の表示装置。
【請求項７】
前記第１ベゼル部材は、前記支持部材に接触して固定される固定部と、前記固定部から前記弾性部材が配置された領域近傍まで延びるように形成された延長部とを含む、請求項６に記載の表示装置。
【請求項８】
前記第１ベゼル部材の前記延長部は、前記弾性部材の近傍において折り曲げ加工またはヘミング加工が施されている、請求項７に記載の表示装置。
【発明の詳細な説明】
【技術分野】
【０００１】
この発明は、表示装置に関し、特に、表示部と前側筐体とを備えた表示装置に関する。
【背景技術】
【０００２】
従来、表示部と前側筐体とを備えた表示装置が知られている（たとえば、特許文献１参照）。
【０００３】
上記特許文献１には、液晶パネル（表示部）と、液晶パネルを保持する金属製の前側筐体とを備えた液晶表示装置が開示されている。この特許文献１に記載の液晶表示装置では、前側筐体は、液晶パネルの外縁部に沿って枠状に形成された額縁部と、額縁部から後方に折り返されて液晶表示装置本体の側面を形成する側面部とを有している。そして、額縁部の裏面に接触するクッション部材を介して液晶パネルの外縁部（非表示領域）が押圧されることにより、液晶パネルが本体内部の所定位置に保持されている。
【先行技術文献】
【特許文献】
【０００４】
【特許文献１】特開２００８−２８６８６０号公報
【発明の概要】
【発明が解決しようとする課題】
【０００５】
しかしながら、上記特許文献１に記載された液晶表示装置では、液晶パネルの外縁部を取り囲む額縁部の幅を細くすることによって狭額縁化が図られる一方、前側筐体自身にも所定の剛性（部材強度）を確保する必要があるため、額縁部の幅を細くする狭額縁化にも限界が生じる。すなわち、前側筐体による液晶表示装置本体の剛性確保との兼ね合いから、狭額縁化をより有効に図ることができないという問題点がある。
【０００６】
この発明は、上記のような課題を解決するためになされたものであり、この発明の１つの目的は、装置本体の剛性を確保しつつ、さらなる狭額縁化を図ることが可能な表示装置を提供することである。
【課題を解決するための手段】
【０００７】
この発明の一の局面による表示装置は、表示部と、表示部の前面側の縁部の少なくとも一部を押圧した状態で表示部を保持する前側筐体と、前側筐体の内側に配置された金属製の第１ベゼル部材とを備える。
【０００８】
この発明の一の局面による表示装置では、上記のように、表示部の前面側の縁部の少なくとも一部を押圧した状態で表示部を保持する前側筐体と、前側筐体の内側に配置された金属製の第１ベゼル部材とを備えることによって、前側筐体を用いて表示部の前面側の縁部の少なくとも一部を押圧しながら表示部を保持する場合であっても、前側筐体とは別部材で構成された金属製の第１ベゼル部材を用いて表示部を含む表示装置本体の剛性（部材強度）を維持することができる。すなわち、第１ベゼル部材を用いて表示装置本体の剛性が保たれる分、表示部の表示領域を極力広く確保した状態でも表示部を保持することが可能となる。これにより、表示装置本体の剛性を確保しつつ、さらなる狭額縁化を図ることができる。
【０００９】
上記一の局面による表示装置において、好ましくは、前側筐体の内側において表示部の後面側を支持可能に構成された支持部材をさらに備え、第１ベゼル部材が支持部材に取り付けられた状態で、前側筐体と支持部材とによって表示部が挟み込まれて保持されるように構成されている。このように構成すれば、表示部の前面側の縁部が押圧された場合に表示部を後面側から支持する支持部材に第１ベゼル部材が取り付けられるので、支持部材の剛性（部材強度）を容易に向上させることができる。これにより、前側筐体と支持部材とによって表示部が挟み込まれて保持された表示装置における装置本体の剛性を、容易に確保することができる。
【００１０】
上記支持部材をさらに備える構成において、好ましくは、前側筐体は、表示部の表示領域を塞ぐことなく枠状に形成された額縁部を含み、第１ベゼル部材が支持部材に取り付けられた状態で、表示部の前面側の縁部の少なくとも一部が前側筐体の額縁部により押圧されるとともに額縁部による押圧位置に対応する表示部の後面側が支持部材により支持されることにより、前側筐体と支持部材とによって表示部が保持されるように構成されている。このように、枠状に形成された額縁部を用いて表示部の前面側の縁部の少なくとも一部を押圧しながら表示部が保持される場合であっても、第１ベゼル部材を用いて表示装置本体の剛性が容易に確保されるので、額縁部の幅を極力細くする狭額縁化を容易に図ることができる。
【００１１】
上記前側筐体が額縁部を含む構成において、好ましくは、表示部は、縦方向に延びる一対の短辺部と横方向に延びる一対の長辺部とによって矩形形状を有して形成されており、第１ベゼル部材は、表示部の少なくとも短辺部に対応した位置の後面側を支持する支持部材の部分に取り付けられており、表示部の少なくとも短辺部に対応する縁部が前側筐体の額縁部により押圧されるとともに額縁部による押圧位置に対応する表示部の後面側が支持部材により支持されることにより、前側筐体と支持部材とによって表示部が保持されるように構成されている。このように構成すれば、横長形状（矩形形状）の表示部を備えた表示装置においては、表示装置本体の剛性を確保しつつ短辺部側（横方向の両側）の狭額縁化を図ることができる。これにより、表示部における表示領域の横方向（長辺方向）寸法を最大限に確保しつつ、表示装置本体の横寸法（外形寸法）を極力小さく設計することができる。
【００１２】
上記一の局面による表示装置において、好ましくは、前側筐体の内側に配置された金属製の第２ベゼル部材をさらに備え、前側筐体により表示部の前面側の縁部の一部が押圧されるとともに、前側筐体により押圧された部分以外の表示部の縁部が第２ベゼル部材により押圧されることにより、前側筐体と第２ベゼル部材とによって表示部が保持されるように構成されている。このように構成すれば、表示部の前側筐体を用いて保持される縁部領域に沿った狭額縁化を積極的に図るとともに、表示装置本体に剛性をより必要とする部分に対しては第２ベゼル部材を用いて剛性を確保しつつこの部分の表示部の縁部を押圧して表示部を保持することが可能となる。これにより、狭額縁化が積極的に図られて、かつ、表示装置本体の剛性が確実に確保された表示装置を得ることができる。
【００１３】
上記前側筐体が額縁部を含む構成において、好ましくは、前側筐体の額縁部と表示部の前面側の縁部との間に配置された弾性部材をさらに備え、第１ベゼル部材は、前側筐体の内側でかつ表示部の前面側の縁部よりも外側の支持部材と対向する領域において支持部材に取り付けられており、前側筐体の額縁部により弾性部材が押圧されて弾性部材が表示部の前面側の縁部の少なくとも一部に接触することにより、表示部が保持されるように構成されている。このように構成すれば、枠状に形成された額縁部を用いて表示部が保持された状態では、額縁部による押圧力で弾性部材が変形して表示部の前面側の縁部に隙間なく接触した状態となるので、前側筐体の内側の支持部材と対向する領域は、表示部の表面および弾性部材によって遮られて表示部の前面側からは見えない。すなわち、前側筐体の内側の支持部材と対向する領域において支持部材に取り付けられた第１ベゼル部材は、表示部の前面側から見えなくなるとともに、前面側からの異物の侵入を抑制することができる。
【００１４】
上記弾性部材をさらに備える構成において、好ましくは、第１ベゼル部材は、支持部材に接触して固定される固定部と、固定部から弾性部材が配置された領域近傍まで延びるように形成された延長部とを含む。このように構成すれば、第１ベゼル部材には固定部のみならず延長部が設けられるので、前側筐体の内側に配置される第１ベゼル部材に、より大きな剛性（部材強度）を持たせることができる。また、第１ベゼル部材に設けられた延長部は、弾性部材が配置された領域近傍まで延びるように形成されているので、弾性部材が額縁部による押圧力や不意な外力に起因して変形を起こして第１ベゼル部材の延長部に接触した場合でも、弾性部材のさらなる変形によって外力（衝撃力）を吸収することができる。これにより、第１ベゼル部材に不意な外力（衝撃力）が加わることが抑制されて、装置本体が歪むのを抑制することができる。
【００１５】
この場合、好ましくは、第１ベゼル部材の延長部は、弾性部材の近傍において折り曲げ加工またはヘミング加工が施されている。このように構成すれば、延長部を折り曲げ加工またはヘミング加工（縁曲げ加工）することにより、延長部のみならず第１ベゼル部材全体の剛性（部材強度）をさらに高めることができる。したがって、第１ベゼル部材に所定の剛性を確保する場合には、金属材料をより少なくして第１ベゼル部材を構成することができるので、その分、第１ベゼル部材を軽量化（薄肉化）することができる。
【発明の効果】
【００１６】
本発明によれば、上記のように、表示装置本体の剛性を確保しつつ、さらなる狭額縁化を図ることができる。
【図面の簡単な説明】
【００１７】
【図１】本発明の一実施形態による液晶テレビジョン装置の全体構成を示した斜視図である。
【図２】本発明の一実施形態による液晶テレビジョン装置における装置本体の構成を示した分解斜視図である。
【図３】本発明の一実施形態による液晶テレビジョン装置において装置本体を組み立てる際の液晶パネルの保持構造を液晶パネルの短辺方向（Ｙ方向）に沿って見た場合の断面図である。
【図４】本発明の一実施形態による液晶テレビジョン装置において、液晶パネルの保持構造を液晶パネルの短辺方向（Ｙ方向）に沿って見た場合の断面図である。
【図５】本発明の一実施形態による液晶テレビジョン装置において、液晶パネルの保持構造を液晶パネルの短辺方向（Ｙ方向）に沿って見た場合の図４とは別な位置での断面図である。
【図６】本発明の一実施形態による液晶テレビジョン装置において、液晶パネルの保持構造を液晶パネルの長辺方向（Ｘ方向）に沿って見た場合の断面図である。
【図７】本発明の第１変形例による液晶テレビジョン装置において、液晶パネルの保持構造を液晶パネルの短辺方向（Ｙ方向）に沿って見た場合の断面図である。
【図８】本発明の第２変形例による液晶テレビジョン装置において、液晶パネルの保持構造を液晶パネルの短辺方向（Ｙ方向）に沿って見た場合の断面図である。
【発明を実施するための形態】
【００１８】
以下、本発明を具体化した実施形態を図面に基づいて説明する。
【００１９】
図１〜図６を参照して、本発明の一実施形態による液晶テレビジョン装置１００の構造について説明する。なお、液晶テレビジョン装置１００は、本発明の「表示装置」の一例である。
【００２０】
本発明の一実施形態による液晶テレビジョン装置１００は、図１に示すように、液晶パネル２０が内蔵された装置本体１０と、液晶パネル２０を立てた状態で装置本体１０を下方（Ｙ２側）から支持するスタンド５０とを備えている。ここで、Ｚ１側が装置本体１０における前面側であり、Ｚ２側が後面（背面）側である。なお、液晶パネル２０は、本発明の「表示部」の一例である。
【００２１】
また、液晶テレビジョン装置１００は、樹脂製の前側筐体（フロントキャビネット）１１と、樹脂製の後側筐体（リアキャビネット）１２とを備えている。具体的には、後側筐体１２が液晶パネル２０のＺ２側（後面側）に配置された状態で前側筐体１１がＺ１側（前面側）から液晶パネル２０の縁部２０ａ（図２参照）を囲いながら後側筐体１２に嵌め込まれることにより、液晶パネル２０が内部に保持（収納）されるように構成されている。なお、液晶パネル２０は、図２に示すように、縦方向（Ｙ方向）に延びる一対の短辺部２０ｂと横方向（Ｘ方向）に延びる一対の長辺部２０ｃとによって矩形形状を有して形成されている。また、液晶パネル２０は、周状（矩形枠状）の縁部２０ａ（図２参照）の内側に、映像（画像）が表示される表示領域２０ｄを有している。
【００２２】
また、液晶パネル２０は、アレイ基板とカラーフィルタ基板との間に液晶層が挟み込まれた構造を有する液晶セル２１（図３参照）と、液晶セル２１の前面側の表面の略全域に貼付された保護フィルム２２（図３参照）とを含んでいる。また、図２に示すように、液晶パネル２０のＸ１側の短辺部２０ｂに対応する縁部２０ａにおける液晶セル２１の部分には、フレキシブルプリント基板（ＦＰＣ）４０が接続されている。また、ＦＰＣ４０は、液晶セル２１を駆動するための制御基板部４１に接続されている。
【００２３】
また、前側筐体（フロントキャビネット）１１は、縦方向（Ｙ方向）に沿って互いに平行に延びる一対の辺部１１ａと、横方向（Ｘ方向）に沿って互いに平行に延びる一対の辺部１１ｂとによって、矩形形状に形成された液晶パネル２０を取り囲むように構成されている。ここで、Ｘ方向の辺部１１ｂは、Ｙ方向の辺部１１ａよりも長い。前側筐体１１は、この４つの辺部（一対の辺部１１ａおよび辺部１１ｂ）からなる周状（矩形枠状）の額縁部１１ｃと、額縁部１１ｃの外縁部から後方（Ｚ２方向側）に延びる枠状の側面部１１ｄとからなる一体的な構造を有した樹脂成型品である。そして、額縁部１１ｃの内周側に形成された矩形形状の開口部１１ｅによって液晶パネル２０の表示領域２０ｄが塞がれることなく表示領域２０ｄが前面側（Ｚ１側）に露出するように構成されている。
【００２４】
また、液晶テレビジョン装置１００は、図２に示すように、エッジライト型のバックライト部３０を備えている。バックライト部３０は、複数のＬＥＤ３１（図４参照）がＹ方向に列状に実装されるとともにＹ方向に短冊状に延びたＬＥＤ基板３２と、ＬＥＤ基板３２の熱を放熱するための板金製の放熱板（ヒートシンク）３３と、透光性を有する透明なアクリル樹脂からなる導光板３４とを含んでいる。また、バックライト部３０は、導光板３４の後面側（Ｚ２側）に配置され、ＬＥＤ３１からの出射光を前方（Ｚ１方向側）に反射させる反射板３５と、導光板３４の前面側（Ｚ１側）に多層（３層）構造を有して積層された光学シート（光拡散シート）３６と、反射板３５（導光板３４）の背面側に所定の空間を確保するためのスペーサ部材３７とをさらに含んでいる。
【００２５】
これにより、図３に示すように、バックライト部３０は、放熱板３３上にスペーサ部材３７を介して反射板３５、導光板３４および３枚の光学シート３６がこの順に積層された状態で、液晶パネル２０の後面側（Ｚ２側）と後側筐体（リアキャビネット）１２の背面部１２ａとの間に配置されている。なお、後側筐体１２の背面部１２ａには、樹脂成型により前方（Ｚ１方向）に向かって突出する複数のボス部１２ｂ（図２参照）が設けられている。そして、放熱板３３は、ネジ部材９１（図２参照）を用いてボス部１２ｂに取り付けられている。これにより、図３に示すように、放熱板３３と後側筐体１２の背面部１２ａとの間には空間が形成されており、放熱板３３による放熱が適切に行われるように構成されている。
【００２６】
ここで、本実施形態では、図２に示すように、液晶テレビジョン装置１００は、樹脂製の枠体部材（モールドフレーム）１３と、金属製のベゼル部材１４と、金属製のベゼル部材１５とを備えている。そして、液晶パネル２０は、前側筐体１１と、枠体部材１３と、ベゼル部材１４およびベゼル部材１５とを用いて、図３〜図６に示すような２通りの方法を組み合わせることによって装置本体１０内部に保持されるように構成されている。この場合、図３〜図５に示す液晶パネル２０の短辺部２０ｂの側と、図６に示す液晶パネル２０の長辺部２０ｃの側とで、液晶パネル２０を保持する構造を異ならせている。以下、この点を詳細に説明する。なお、枠体部材１３は、本発明の「支持部材」の一例である。また、ベゼル部材１４およびベゼル部材１５は、それぞれ、本発明の「第１べゼル部材」および「第２ベゼル部材」の一例である。
【００２７】
まず、図３〜図６において共通する構造としては、枠体部材（モールドフレーム）１３は、前側筐体１１と同様に、液晶パネル２０を取り囲む枠体形状を有している。ここで、図２に示すように、枠体部材１３は、Ｙ方向（縦方向）に沿って延びる一対の短辺側枠部１３ａとＸ方向（横方向）に沿って延びる一対の長辺側枠部１３ｂとが樹脂成型により一体的に形成されている。したがって、図３〜図５においては、液晶パネル２０を短辺部２０ｂ（図２参照）の延びる方向（Ｙ方向）から見た場合の装置本体１０の断面構造が示されるとともに、図６においては、液晶パネル２０を長辺部２０ｃ（図２参照）の延びる方向（Ｘ方向）から見た場合の装置本体１０の断面構造が示されている。
【００２８】
また、図３に示すように、枠体部材１３（この場合は短辺側枠部１３ａになる）は、液晶パネル２０の短辺部２０ｂ（図２参照）に対応する縁部２０ａを後面側（Ｚ２側）から支持する支持部１３ｃと、支持部１３ｃから縁部２０ａよりも外側方向（Ｘ２方向）に延びる固定部１３ｄとを含んでいる。ここで、縁部２０ａとは、液晶パネル２０のうち、表示領域２０ｄを除いた領域のことを示している。また、縁部２０ａは、液晶パネル２０の完全な縁部に加えて縁部よりも若干内側（表示領域２０ｄに近い側）の部分までを含んでいる。また、固定部１３ｄには、ネジ部材９２が挿入可能な貫通孔１３ｅが形成されている。この場合、貫通孔１３ｅは、枠体部材１３を構成するＸ１側およびＸ２側の各々の短辺側枠部１３ａ（図２参照）には２箇所に形成されるとともに、枠体部材１３を構成するＹ１側およびＹ２側の各々の長辺側枠部１３ｂ（図２参照）には４箇所にわたって形成されている。
【００２９】
また、図３および図４に示すように、ベゼル部材１４は、枠体部材１３（短辺側枠部１３ａ）の固定部１３ｄに固定される固定部１４ａと、固定部１４ａから液晶パネル２０の短辺部２０ｂに対応する縁部２０ａに向かってＸ１方向に延びる延長部１４ｂとを含んでいる。また、ベゼル部材１４の固定部１４ａには、ネジ部材９２が挿入可能な貫通孔１４ｃ（図２においては２箇所）が形成されている。また、ベゼル部材１４は、固定部１４ａの延長部１４ｂとは反対側（Ｘ２側）の外縁部から後方（Ｚ２方向）に延びる側面部１４ｄをさらに含んでいる。また、同様に、ベゼル部材１５は、図６に示すように、枠体部材１３（この場合は長辺側枠部１３ｂになる）の固定部１３ｄに固定される固定部１５ａと、固定部１５ａから液晶パネル２０の長辺部２０ｃに対応する縁部２０ａに向かってＹ２方向に延びる延長部１５ｂとを含んでいる。また、ベゼル部材１５の固定部１５ａには、ネジ部材９２が挿入可能な貫通孔１５ｃ（図２においては４箇所）が形成されている。また、ベゼル部材１５は、固定部１５ａの延長部１５ｂとは反対側（Ｙ１側）の外縁部から後方（Ｚ２方向）に延びる側面部１５ｄをさらに含んでいる。
【００３０】
また、樹脂製の後側筐体１２は、図２に示すように、背面部１２ａの外縁部（Ｘ方向およびＹ方向）に沿って背面部１２ａから前方（Ｚ１方向）に向かって突出する複数（本実施形態では１２箇所）のボス部１２ｃが設けられている。また、各々のボス部１２ｃには、後述するネジ部材９２が締め込まれるためのネジ孔１２ｄ（図３参照）が形成されている。
【００３１】
枠体部材１３（短辺側枠部１３ａ）および金属製のベゼル部材１４が上記のように構成されることにより、本実施形態では、液晶パネル２０の短辺部２０ｂに対応する縁部２０ａは、以下のような構造によって保持されている。
【００３２】
具体的には、図３に示すように、バックライト部３０が後側筐体１２の背面部１２ａにボス部１２ｂ（図２参照）を介して取り付けられた状態で、後側筐体１２上に枠体部材１３が載置されるとともに、枠体部材１３（短辺側枠部１３ａ）の固定部１３ｄ上にベゼル部材１４が載置された状態でボス部１２ｃに対してネジ部材９２を締め込むことによって、まず、バックライト部３０が枠体部材１３（短辺側枠部１３ａ）によりＺ１側（前面側）から保持されるように構成されている。そして、ベゼル部材１４がネジ部材９２を用いて枠体部材１３（短辺側枠部１３ａ）に取り付けられた状態で、枠体部材１３の支持部１３ｃ上（前面側）に液晶パネル２０が載置（配置）されるとともに前側筐体１１が前方側（Ｚ１側）から後方側（Ｚ２側）に向かって矢印Ｐ方向に嵌め込まれることにより、図４に示すように、前側筐体１１と枠体部材１３（短辺側枠部１３ａ）とによって液晶パネル２０の縁部２０ａが前後（Ｚ方向）から挟み込まれて保持されるように構成されている。
【００３３】
なお、支持部１３ｃには、縁部２０ａを支持する部分よりも外側の部分において支持部１３ｃから前方に突出するリブ１３ｆと、後方に突出するリブ１３ｇとがさらに形成されている。したがって、前側筐体１１と枠体部材１３（短辺側枠部１３ａ）とによって液晶パネル２０が挟み込まれた状態では、ベゼル部材１４の延長部１４ｂがリブ１３ｆをＺ２方向に押圧するように構成されている。そして、延長部１４ｂによりＺ２方向に押圧された支持部１３ｃが反対側のリブ１３ｇを介して導光板３４をＺ２方向にさらに押圧するように構成されている。これにより、導光板３４がスペーサ部材３７を介して放熱板（ヒートシンク）３３上に適切に配置されてＬＥＤ基板３２（ＬＥＤ３１）との正確な位置関係が保たれている。また、前側筐体１１の額縁部１１ｃの内側面１１ｆには、後方（装置本体１０の内側）に突出するリブ１１ｇが形成されている。これにより、前側筐体１１と枠体部材１３（短辺側枠部１３ａ）とによって液晶パネル２０が挟み込まれた状態では、リブ１１ｇがベゼル部材１４の延長部１４ｂに前方側から後方に向かって当接するように構成されている。これにより、リブ１３ｆを押圧する延長部１４ｂのがたつきが抑制されている。
【００３４】
また、本実施形態では、前側筐体１１の額縁部１１ｃの内側面１１ｆ（縁部２０ａに対向する部分）には、弾性変形可能な材料からなる緩衝部材（クッション部材）１６が取り付けられている。なお、枠体部材１３（短辺側枠部１３ａ）の支持部１３ｃ上にも緩衝部材１６と同様の材料からなる別な緩衝部材（クッション部材）１７が設けられている。これにより、液晶パネル２０の短辺部２０ｂ側においては、液晶パネル２０の短辺部２０ｂに対応する縁部２０ａが緩衝部材１６を介して前側筐体１１の額縁部１１ｃにより押圧されるとともに額縁部１１ｃによる押圧位置に対応する液晶パネル２０の後面側（Ｚ２側）が緩衝部材１７を介して枠体部材１３（短辺側枠部１３ａに設けられた支持部１３ｃ）により支持されることにより、前側筐体１１と枠体部材１３とによって液晶パネル２０が保持されるように構成されている。なお、緩衝部材１６は、本発明の「弾性部材」の一例である。
【００３５】
なお、上記では、装置本体１０（図１参照）を正面から見た場合の右側（Ｘ２側）における断面構造に関して図３および図４を参照して説明したが、図５においては、装置本体１０を正面から見た場合の左側（Ｘ１側）における断面構造を示している。ここで、図５に示すように、液晶パネル２０の液晶セル２１に接続されたＦＰＣ４０が、枠体部材１３（短辺側枠部１３ａ）を後方に貫通して制御基板部４１（概略的な外形形状を２点鎖線で示す）に接続されている。なお、制御基板部４１は、反射板３５（導光板３４）と後側筐体１２の背面部１２ａとの間の空間に、スペーサ部材３７を介して配置されている。この場合、液晶セル２１に接続された直後のＦＰＣ４０の部分は、前方側（Ｚ１側）からベゼル部材１４の延長部１４ｂによって覆われている。これにより、本実施形態では、液晶パネル２０の前面側で静電気放電（ＥＳＤ）が発生した場合であっても、静電気放電が延長部１４ｂによって遮蔽（保護）されてＦＰＣ４０および制御基板部４１に到達しにくくなるように構成されている。
【００３６】
このように、液晶テレビジョン装置１００では、前側筐体１１を用いて液晶パネル２０の前面側の短辺部２０ｂに対応する縁部２０ａを押圧しながら液晶パネル２０を保持する場合であっても、枠体部材１３（短辺側枠部１３ａ）に金属製のベゼル部材１４が固定されているので、前側筐体１１とは別部材で構成された金属製のベゼル部材１４を用いて液晶パネル２０を含む装置本体１０の剛性（短辺側枠部１３ａの部材強度）が維持されるように構成されている。したがって、装置本体１０の剛性は、ベゼル部材１４が取り付けられた枠体部材１３側において確保されるので、前側筐体１１の額縁部１１ｃを用いて液晶パネル２０の縁部２０ａを押圧しながら保持することが可能になる。また、この際、額縁部１１ｃが縁部２０ａを押圧するので、額縁部１１ｃの幅Ｗ１（図１参照）を、液晶パネル２０を確実に保持可能な範囲で極力細くすることが可能に構成されている。すなわち、図１に示すように、液晶パネル２０における表示領域２０ｄの横方向（長辺方向）寸法Ｗ２を最大限に確保しつつ、装置本体１０の外形横寸法Ｗ３が極力小さくなるように設計されている。
【００３７】
また、枠体部材１３（長辺側枠部１３ｂ）および金属製のベゼル部材１５が上記のように構成されることにより、本実施形態では、液晶パネル２０の長辺部２０ｃに対応する縁部２０ａは、以下のような構造によって保持されている。
【００３８】
具体的には、図６に示すように、ベゼル部材１５がネジ部材９２を用いて枠体部材１３（長辺側枠部１３ｂ）の固定部１３ｄに取り付けられた状態で、液晶パネル２０の長辺部２０ｃに対応する縁部２０ａがベゼル部材１５の延長部１５ｂにより押圧されるとともにベゼル部材１５の延長部１５ｂによる押圧位置に対応する液晶パネル２０の後面側（Ｚ２側）が枠体部材１３（長辺側枠部１３ｂに設けられた支持部１３ｃ）により支持されることにより、前側筐体１１と枠体部材１３とによって液晶パネル２０が保持されるように構成されている。
【００３９】
なお、ベゼル部材１５の延長部１５ｂの下面１５ｆ（縁部２０ａに対向する部分）には緩衝部材１６と同様の材料からなる緩衝部材（クッション部材）１８が取り付けられている。これにより、液晶パネル２０の長辺部２０ｃ側においては、液晶パネル２０の長辺部２０ｃに対応する縁部２０ａが緩衝部材１８を介してベゼル部材１５により押圧されるとともにベゼル部材１５の延長部１５ｂによる押圧位置に対応する液晶パネル２０の後面側（Ｚ２側）が枠体部材１３（長辺側枠部１３ｂに設けられた支持部１３ｃ）により支持されることにより、ベゼル部材１５と枠体部材１３（長辺側枠部１３ｂ）とによって液晶パネル２０の縁部２０ａが前後（Ｚ方向）から挟み込まれて保持されるように構成されている。
【００４０】
なお、上記では、装置本体１０を正面から見た場合の上側（Ｙ１側）における断面構造を図６を参照して説明したが、装置本体１０を正面から見た場合の下側（Ｙ２側）における断面構造についても略同様（上下対称）である。なお、ベゼル部材１４および１５は、図示しないネジ部材を使用して各々の端部同士を接続（連結）することによりさらなる剛性が確保されている。そして、ベゼル部材１４および１５が互いに連結されて１つの枠体状の部材となった状態で枠体部材１３に取り付けられるように構成されている。
【００４１】
このように、液晶テレビジョン装置１００では、前側筐体１１（額縁部１１ｃ）を用いて液晶パネル２０の短辺部２０ｂ（図２参照）に対応する縁部２０ａを押圧しながら液晶パネル２０を保持するのとともに、ベゼル部材１５（延長部１５ｂ）を用いて液晶パネル２０の長辺部２０ｃ（図２参照）に対応する縁部２０ａを押圧しながら液晶パネル２０を保持するように構成されている。これにより、装置本体１０における短辺部２０ｂ側（左右両側）の額縁部１１ｃの狭額縁化を図る（幅Ｗ１をより細くする）とともに、短辺部２０ｂ側よりもより強度が必要とされる長辺部２０ｃ側（上下両側）においては金属製のベゼル部材１５を用いて長辺部２０ｃに沿った方向の枠体部材１３（長辺側枠部１３ｂ）の強度維持を容易に図りつつ、ベゼル部材１５を用いて液晶パネル２０の長辺部２０ｃに対応する縁部２０ａを押圧しながら液晶パネル２０を保持することが可能になる。したがって、図１に示すように、横長形状の液晶パネル２０を備えた液晶テレビジョン装置１００に対しても、装置本体１０の強度維持を図りつつ、さらなる狭額縁化が図られている。
【００４２】
また、本実施形態では、図４に示すように、短辺側枠部１３ａの固定部１３ｄに固定されるベゼル部材１４は、延長部１４ｂが、固定部１４ａから緩衝部材１６が配置された領域近傍までＸ１方向に延びるように形成されている。また、延長部１４ｂは、固定部１４ａの位置から曲げられて前方側に斜めに延びた後、再度曲げられてＸ１方向に延びるような形状を有している。すなわち、ベゼル部材１４には平坦な固定部１４ａのみならず屈曲された延長部１４ｂが設けられているので、前側筐体１１の内側に配置されるベゼル部材１４にはより大きな剛性（部材強度）が持たされている。
【００４３】
また、図６に示すように、長辺側枠部１３ｂの固定部１３ｄに固定されるベゼル部材１５は、延長部１５ｂが、固定部１５ａから屈曲しながらＸ１方向に延びるように形成されている。この場合、延長部１５ｂの先端は、液晶パネル２０の長辺部２０ｃに対応する縁部２０ａまで到達するように形成されている。そして、延長部１５ｂの縁部２０ａに対向する部分に上記した緩衝部材１８が取り付けられている。このように、ベゼル部材１５についても固定部１５ａのみならず延長部１５ｂが設けられているので、前側筐体１１の内側に配置されるベゼル部材１５にはより大きな剛性（部材強度）が持たされている。このようにして、液晶テレビジョン装置１００は構成されている。
【００４４】
本実施形態では、上記のように、液晶パネル２０の短辺部２０ｂに対応する前面側（Ｚ１側）の縁部２０ａを押圧した状態で液晶パネル２０を保持する前側筐体（フロントキャビネット）１１と、前側筐体１１の内側にネジ部材９２により固定された金属製のベゼル部材１４とを備えることによって、前側筐体１１を用いて液晶パネル２０の短辺部２０ｂに対応する縁部２０ａを押圧しながら液晶パネル２０を保持する場合であっても、前側筐体１１とは別部材で構成された金属製のベゼル部材１４を用いて液晶パネル２０を含む装置本体１０の剛性（部材強度）を維持することができる。すなわち、ベゼル部材１４を用いて装置本体１０の剛性が保たれる分、液晶パネル２０の表示領域２０ｄを極力広く確保した状態でも液晶パネル２０を保持することが可能となる。これにより、装置本体１０の剛性を確保しつつ、さらなる狭額縁化を図ることができる。
【００４５】
また、本実施形態では、前側筐体１１の内側において液晶パネル２０の後面側（Ｚ２側）を支持可能に構成された枠体部材１３（モールドフレーム）を備え、ベゼル部材１４がネジ部材９２により枠体部材１３に取り付けられた状態で、前側筐体１１と枠体部材１３（短辺側枠部１３ａ）とによって液晶パネル２０を挟み込んで保持している。これにより、液晶パネル２０の前面側（Ｚ１側）の縁部２０ａが押圧された場合に液晶パネル２０を後面側（Ｚ２側）から支持する枠体部材１３（短辺側枠部１３ａ）にベゼル部材１４が取り付けられるので、枠体部材１３（短辺側枠部１３ａ）の剛性（部材強度）を容易に向上させることができる。したがって、前側筐体１１と枠体部材１３とによって液晶パネル２０が挟み込まれて保持された液晶テレビジョン装置１００における装置本体１０の剛性を、容易に確保することができる。
【００４６】
また、本実施形態では、前側筐体１１は、液晶パネル２０の表示領域２０ｄを塞ぐことなく枠状に形成された額縁部１１ｃを含み、ベゼル部材１４が枠体部材１３（短辺側枠部１３ａ）に取り付けられた状態で、液晶パネル２０の短辺部２０ｂに対応する前面側（Ｚ１側）の縁部２０ａが前側筐体１１の額縁部１１ｃにより押圧されるとともに額縁部１１ｃによる押圧位置に対応する液晶パネル２０の後面側（Ｚ２側）が枠体部材１３により支持されることにより、前側筐体１１と枠体部材１３とによって液晶パネル２０を保持している。このように、前側筐体１１の枠状に形成された額縁部１１ｃを用いて液晶パネル２０の短辺部２０ｂに対応する縁部２０ａを押圧しながら液晶パネル２０が保持される場合であっても、ベゼル部材１４を用いて装置本体１０の剛性が容易に確保されるので、額縁部１１ｃの幅Ｗ１（額縁部１１ｃの延びる方向と直交する方向の幅Ｗ１）を極力細くする狭額縁化を容易に図ることができる。
【００４７】
また、本実施形態では、液晶パネル２０は、縦方向（Ｙ方向）に延びる一対の短辺部２０ｂと横方向（Ｘ方向）に延びる一対の長辺部２０ｃとによって矩形形状を有して形成されており、ベゼル部材１４は、液晶パネル２０の短辺部２０ｂに対応した位置の後面側（Ｚ２側）を支持する枠体部材１３の部分に取り付けられている。そして、液晶パネル２０の短辺部２０ｂに対応する縁部２０ａが前側筐体１１の額縁部１１ｃにより押圧されるとともに額縁部１１ｃによる押圧位置に対応する液晶パネル２０の後面側（Ｚ２側）が枠体部材１３（短辺側枠部１３ａ）により支持されることにより、前側筐体１１と枠体部材１３とによって液晶パネル２０を保持している。これにより、Ｘ方向に延びた横長形状（矩形形状）の液晶パネル２０を備えた液晶テレビジョン装置１００においては、装置本体１０の剛性を確保しつつ短辺部２０ｂ側（横方向の両側）の狭額縁化（額縁部１１ｃの幅Ｗ１を細くすること）を図ることができる。したがって、液晶パネル２０における表示領域２０ｄの横方向（長辺方向）寸法Ｗ２（図１参照）を最大限に確保しつつ、装置本体１０の外形横寸法Ｗ３（図１参照）を極力小さく設計することができる。
【００４８】
また、本実施形態では、前側筐体１１の内側に配置された金属製のベゼル部材１５をさらに備える。そして、前側筐体１１により液晶パネル２０の短辺部２０ｂに対応する前面側（Ｚ１側）の縁部２０ａが押圧されるとともに、液晶パネル２０の長辺部２０ｃに対応する縁部２０ａがベゼル部材１５の延長部１５ｂにより押圧されることにより、前側筐体１１とベゼル部材１５とによって液晶パネル２０を保持している。これにより、液晶パネル２０の前側筐体１１を用いて保持される短辺部２０ｂに対応した縁部２０ａに沿った狭額縁化を積極的に図るとともに、装置本体１０に剛性をより必要とする長辺部２０ｃに対応した縁部２０ａに対してはベゼル部材１５を用いて剛性を確保しつつこの部分の液晶パネル２０の縁部２０ａを押圧して液晶パネル２０を保持することが可能となる。したがって、狭額縁化が積極的に図られて、かつ、装置本体１０の剛性が確実に確保された液晶テレビジョン装置１００を得ることができる。
【００４９】
また、本実施形態では、前側筐体１１の額縁部１１ｃと液晶パネル２０の前面側（Ｚ１側）の縁部２０ａとの間に配置された緩衝部材（クッション部材）１６をさらに備え、ベゼル部材１４は、前側筐体１１の内側でかつ液晶パネル２０の前面側（Ｚ１側）の縁部２０ａよりも外側（Ｘ２側）の枠体部材１３と対向する領域において枠体部材１３（短辺側枠部１３ａ）に取り付けられている。そして、前側筐体１１の額縁部１１ｃにより緩衝部材１６が押圧されて緩衝部材１６が液晶パネル２０の短辺部２０ｂに対応する前面側（Ｚ１側）の縁部２０ａに接触することにより液晶パネル２０を保持している。これにより、枠状に形成された額縁部１１ｃを用いて液晶パネル２０が保持された状態では、額縁部１１ｃによる押圧力で緩衝部材１６が変形して液晶パネル２０の前面側（Ｚ１側）の縁部２０ａに隙間なく接触した状態となるので、前側筐体１１の内側の枠体部材１３（短辺側枠部１３ａ）と対向する領域は、液晶パネル２０の表面および緩衝部材１６によって遮られて液晶パネル２０の前面側（Ｚ１側）からは見えない。すなわち、前側筐体１１の内側の枠体部材１３と対向する領域において枠体部材１３に取り付けられたベゼル部材１４は、液晶パネル２０の前面側（Ｚ１側）から見えなくなるとともに、前面側からの異物の侵入を抑制することができる。また、ベゼル部材１４が前面側（Ｚ１側）から見えなくなるので、液晶テレビジョン装置１００の外観品位が損なわれるのを抑制することができる。
【００５０】
また、本実施形態では、ベゼル部材１４は、枠体部材１３（短辺側枠部１３ａ）に接触して固定される固定部１４ａと、固定部１４ａから緩衝部材１６が配置された領域近傍までＸ１方向に延びるように形成された延長部１４ｂとを含む。これにより、ベゼル部材１４には固定部１４ａのみならず延長部１４ｂが設けられるので、前側筐体１１の内側に配置されるベゼル部材１４に、より大きな剛性（部材強度）を持たせることができる。また、ベゼル部材１４に設けられた延長部１４ｂは、緩衝部材１６が配置された領域近傍まで延びるように形成されているので、緩衝部材１６が額縁部１１ｃによる押圧力や不意な外力に起因して変形を起こしてベゼル部材１４の延長部１４ｂに接触した場合でも、緩衝部材１６のさらなる変形によって外力（衝撃力）を吸収することができる。これにより、ベゼル部材１４に不意な外力（衝撃力）が加わることが抑制されて、装置本体１０が歪むのを抑制することができる。
【００５１】
（第１変形例）
次に、図１、図４および図７を参照して、第１変形例について説明する。この第１変形例では、図７に示すように、延長部１１４ｂの端部領域に約９０度の折り曲げ加工が施されたベゼル部材１１４を枠体部材１３（短辺側枠部１３ａ）に取り付けた例について説明する。なお、ベゼル部材１１４は、本発明の「第１べゼル部材」の一例である。なお、図中において、上記実施形態と同様の構成には、上記実施形態と同じ符号を付して図示している。
【００５２】
本発明の第１変形例による液晶テレビジョン装置１１０では、図７に示すように、短辺側枠部１３ａの固定部１３ｄに固定されるベゼル部材１１４は、延長部１１４ｂが、固定部１４ａから緩衝部材１６が配置された領域近傍までＸ１方向に延びている。そして、延長部１１４ｂは、緩衝部材１６の手前でＸ１方向からＺ１方向（前方向）に約９０度だけ折り曲げられるとともに額縁部１１ｃに向かって若干延ばされた端部１１４ｃを有している。したがって、ベゼル部材１１４は、延長部１１４ｂの途中に折り曲げ加工が追加される分、延長部１１４ｂの部分の剛性がさらに高められている。なお、延長部１１４ｂは固定部１４ａからＸ１方向に沿って直線的に延びた後、Ｚ１方向に曲がる。したがって、Ｘ１方向に延びる延長部１１４ｂの部分を押圧する前側筐体１１のリブ１１１ｇは、上記実施形態のリブ１１ｇ（図４参照）よりもＺ２方向の突出長さが長く構成されている。反対に、枠体部材１３（短辺側枠部１３ａ）のリブ１１３ｆは、上記実施形態のリブ１３ｆ（図４参照）よりもＺ１方向の突出長さが短く構成されている。
【００５３】
また、図７に示すベゼル部材１１４は、装置本体１０（図１参照）を正面から見た場合の左右両側の額縁部１１ｃの裏側に設けられている。なお、第１変形例による液晶テレビジョン装置１１０（図１参照）のその他の構成は、上記実施形態と同様である。
【００５４】
第１変形例では、上記のように、ベゼル部材１１４の延長部１１４ｂに対して緩衝部材１６の近傍において約９０度の折り曲げ加工を施している。これにより、延長部１１４ｂを折り曲げ加工することにより、延長部１１４ｂの剛性のみならずベゼル部材１１４全体の剛性（部材強度）をさらに高めることができる。したがって、たとえば、ベゼル部材１１４に上記実施形態のベゼル部材１４（図４参照）と同等の剛性を確保する場合には、金属材料をより少なくしてベゼル部材１１４を構成することができるので、その分、ベゼル部材１１４を軽量化（薄肉化）することができる。なお、第１変形例のその他の効果は、上記実施形態と同様である。
【００５５】
（第２変形例）
次に、図１、図４および図８を参照して、第２変形例について説明する。この第２変形例では、図８に示すように、延長部１２４ｂの途中にヘミング加工（縁曲げ加工）が施されたベゼル部材１２４を枠体部材１３（短辺側枠部１３ａ）に取り付けた例について説明する。なお、ベゼル部材１２４は、本発明の「第１べゼル部材」の一例である。なお、図中において、上記実施形態と同様の構成には、上記実施形態と同じ符号を付して図示している。
【００５６】
本発明の第２変形例による液晶テレビジョン装置１２０では、図８に示すように、短辺側枠部１３ａの固定部１３ｄに固定されるベゼル部材１２４は、延長部１２４ｂが、固定部１４ａから緩衝部材１６が配置された領域の手前までＸ１方向に延びている。そして、延長部１２４ｂには、緩衝部材１６の手前でＸ１方向からＸ２方向（反対方向）に約１８０度折り曲げられたヘミング加工が施されている。したがって、ベゼル部材１２４は、延長部１２４ｂにヘミング加工が施される分、延長部１２４ｂの部分の剛性がさらに高められている。また、図８に示すベゼル部材１２４は、装置本体１０（図１参照）を正面から見た場合の左右両側の額縁部１１ｃの裏側に設けられている。なお、第２変形例による液晶テレビジョン装置１２０のその他の構成は、上記実施形態と同様である。
【００５７】
第２変形例では、上記のように、ベゼル部材１２４の延長部１２４ｂは、緩衝部材１６の近傍においてヘミング加工（縁曲げ加工）が施されている。これにより、延長部１２４ｂをヘミング加工することにより、延長部１２４ｂのみならずベゼル部材１２４全体の剛性（部材強度）をさらに高めることができる。したがって、たとえば、ベゼル部材１２４に上記実施形態のベゼル部材１４（図４参照）と所定の剛性を確保する場合には、金属材料をより少なくしてベゼル部材１２４を構成することができるので、その分、ベゼル部材１２４を軽量化（薄肉化）することができる。なお、第２変形例のその他の効果は、上記実施形態と同様である。
【００５８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５９】
たとえば、上記実施形態、上記実施形態の第１変形例および第２変形例では、表示装置の一例としての液晶テレビジョン装置１００、１１０および１２０に、本発明を適用した例について示したが、本発明はこれに限られない。たとえば、液晶テレビジョン装置以外のパーソナルコンピュータの表示モニタなどの他の表示装置に対しても本発明を適用することが可能である。
【００６０】
また、上記実施形態、上記実施形態の第１変形例および第２変形例では、ベゼル部材１４（１１４、１２４）を、装置本体１０を正面から見た場合の左右両側の短辺部２０ｂに対応する額縁部１１ｃの裏側にのみ設ける一方、ベゼル部材１５を装置本体１０を正面から見た場合の上下両側の長辺部２０ｃに対応する額縁部１１ｃの裏側に設けた例について示したが、本発明はこれに限られない。たとえば、ベゼル部材１４（１１４、１２４）を左右両側の短辺部２０ｂに対応する額縁部１１ｃの裏側のみならず上下両側の長辺部２０ｃに対応する額縁部１１ｃの裏側にも配置するように装置本体を構成してもよい。すなわち、前側筐体１１の額縁部１１ｃによって液晶パネル２０の縁部２０ａを全周に亘って押圧した状態で液晶パネル２０を保持するように構成してもよい。この場合、枠体部材１３には、全周（Ｘ方向およびＹ方向）に亘ってベゼル部材１４が取り付けられる。これにより、装置本体１０の剛性を確保しつつ、装置本体１０の左右方向の狭額縁化（幅Ｗ１への狭額縁化）のみならず上下方向の狭額縁化も図ることができる。また、液晶パネル２０における縁部２０ａの全周に亘っての狭額縁化は、特に小型の液晶表示装置に対して有効である。
【００６１】
また、上記実施形態、上記実施形態の第１変形例および第２変形例では、ベゼル部材１４（１１４、１２４、１５）の延長部１４ｂ（１１４ｂ、１２４ｂ、１５ｂ）により枠体部材１３の支持部１３ｃを後方に押圧して導光板３４を保持した例について示したが、本発明はこれに限られない。本発明では、枠体部材１３にリブ１３ｆ（１１３ｆ）を設けることなくベゼル部材１４（１１４、１２４、１５）によって枠体部材１３を後方に押圧しないように構成していてもよい。
【００６２】
また、上記実施形態、上記実施形態の第１変形例および第２変形例では、別部材として構成されたベゼル部材１４とベゼル部材１５とを互いに連結することにより、１つの枠体状の部材として本発明の「第１ベゼル部材」を構成してもよい。
【００６３】
また、上記実施形態、上記実施形態の第１変形例および第２変形例では、液晶セル２１を有する液晶パネル２０の保持構造に本発明を適用した例について示したが、本発明はこれに限られない。液晶パネル以外のプラズマディスプレイパネルや有機ＥＬパネルなどを備えた表示装置に本発明を適用してもよい。
【符号の説明】
【００６４】
１１  前側筐体
１１ｃ  額縁部
１３  枠体部材（支持部材）
１３ａ  短辺側枠部（支持部材）
１３ｂ  長辺側枠部（支持部材）
１４、１１４、１２４  ベゼル部材（第１ベゼル部材）
１４ａ  固定部
１４ｂ、１１４ｂ、１２４ｂ  延長部
１５  ベゼル部材（第２ベゼル部材）
１６  緩衝部材（弾性部材）
２０  液晶パネル（表示部）
２０ａ  縁部
２０ｂ  短辺部
２０ｃ  長辺部
２０ｄ  表示領域
１００  液晶テレビジョン装置（表示装置）
【図１】
2014154931.tif 000003
【図２】
2014154931.tif 000004
【図３】
2014154931.tif 000005
【図４】
2014154931.tif 000006
【図５】
2014154931.tif 000007
【図６】
2014154931.tif 000008
【図７】
2014154931.tif 000009
【図８】
2014154931.tif 000010